【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
動的リストを表示する方法であって、
アカウントに対応する動的リスト内の情報アイテムと、情報アイテムラベルとを取得するステップであって、前記情報アイテムは、アイテムの１又は複数の属性を備える、ステップ（Ｓ２０）と；
前記アカウントのコンテンツの統計分析に基づいて、前記情報アイテムラベルを前記アカウントに追加されたアカウントラベルと照合するステップ（Ｓ２１）と；
前記アカウントラベルと同じラベルを有する照合された情報アイテムを含む前記動的リストを表示するステップと（Ｓ２２）；を備える、
動的リストを表示する方法。
【請求項２】
前記動的リストを表示するステップは、
前記動的リスト内の前記アカウントと前記情報アイテムの前記同じラベルを表示するステップ（Ｓ２２２）を備える、
請求項１に記載の動的リストを表示する方法。
【請求項３】
前記動的リストを表示するステップは、
前記動的リストに対してなされたスクロール操作が検出されると、前記アカウントと前記同じラベルを有する前記情報アイテムを、個別に表示するステップ（Ｓ２２１）を備える、
請求項１に記載の動的リストを表示する方法。
【請求項４】
前記動的リストに対してなされたスクロール操作が検出されると、前記アカウントと前記同じラベルを有する前記情報アイテムを、個別に表示するステップは、
画面上で前記動的リストを連続的にスクロールする操作、又は、画面上で前記動的リストを連続的にドラッグする操作を検出するステップと；
前記アカウントと同じラベルを有する前記情報アイテムを個別に表示するステップと；を備える、
請求項３に記載の動的リストを表示する方法。
【請求項５】
前記アカウントと同じラベルを有する前記情報アイテムを個別に表示するステップは、
前記動的リストの表示輝度を制御することで、前記アカウントと同じラベルを有する前記情報アイテムの表示輝度を別の情報アイテムの表示輝度よりも高くするステップを備える、
請求項３に記載の動的リストを表示する方法。
【請求項６】
前記アカウントと同じラベルを有する前記情報アイテムを個別に表示するステップは、
前記アカウントと同じラベルを有する前記情報アイテムが前記動的リストの上層に表示されるよう、前記アカウントと同じラベルを有する前記情報アイテムと前記動的リストとを階層表示するステップを備える、
請求項３に記載の動的リストを表示する方法。
【請求項７】
前記アカウントと同じラベルを有する前記情報アイテムが前記動的リストの上層に表示されるよう、前記アカウントと同じラベルを有する前記情報アイテムと前記動的リストとを階層表示するステップは、
前記アカウントと同じラベルを有する前記情報アイテムが画面へスクロールされると、前記情報アイテムが前記アカウントと同じラベルを有する第１の情報アイテムであるかどうかを特定するステップ（Ｓ３０３）と；
前記動的リストの前記上層に別の表示層をロードし、前記情報アイテムが前記アカウントと同じラベルを有する前記第１の情報アイテムである、と特定された場合に、前記アカウントと同じラベルを有する前記第１情報アイテムを前記表示層に表示するステップ（Ｓ３０４）と；を備える、
請求項６に記載の動的リストを表示する方法。
【請求項８】
前記アカウントと同じラベルを有する前記情報アイテムが前記動的リストの上層に表示されるよう、前記アカウントと同じラベルを有する前記情報アイテムと前記動的リストとを階層表示するステップは、
前記アカウントと同じラベルを有する別の情報アイテムが前記画面にスクロールされた場合に、前記表示層がいっぱいであるかどうかを特定するステップと；
前記表示層がいっぱいである場合には前記表示層にて情報アイテムをスクロールするように制御して、前記表示層に入力されている最初の情報アイテムを前記表示層の外へスクロールし、前記アカウントと同じラベルを有する前記別のアイテムを前記表示層内へスクロールするステップと；を更に備える、
請求項７に記載の動的リストを表示する方法。
【請求項９】
サーバにより前記アカウントに付加されたラベルを受信するステップと；
前記ユーザにより前記アカウントへローカルに付加されたラベルを受信するステップと；を更に備える、
請求項１に記載の動的リストを表示する方法。
【請求項１０】
アカウントに対応する動的リスト内の情報アイテムと、情報アイテムラベルとを取得する前記ステップは：
ローカルにログインする第１のアカウントにフォローされた第２のアカウントによって投稿された情報アイテムと、コンテンツ又は前記情報アイテムの属性に基づいてサーバにより前記情報アイテムに付加されたラベルとを取得するステップを備える、
請求項１に記載の動的リストを表示する方法。
【請求項１１】
前記アカウントと同じラベルを有する、照合された情報アイテムに所定の表示処理を実行する前記ステップは：
前記動的リスト内の情報として、前記アカウントと同じラベルを有する前記情報アイテムを表示するステップを備える、
請求項１に記載の動的リストを表示する方法。
【請求項１２】
前記アイテムの前記１又は複数の属性は、価格、場所及び商品カテゴリを含む、
請求項１乃至請求項１１のいずれか１項に記載の動的リストを表示する方法。
【請求項１３】
前記アカウントラベルに一致する前記情報アイテムをハイライト表示するステップを更に備える、
請求項１乃至請求項１２のいずれか１項に記載の動的リストを表示する方法。
【請求項１４】
請求項１乃至請求項１３のいずれか１項に記載の方法を実行するように構成された複数のモジュールを備える、
動的リストを表示するための端末デバイス。
【手続補正２】
【補正対象書類名】明細書
【補正対象項目名】０１６５
【補正方法】変更
【補正の内容】
【０１６５】
上述のものは本願の一実施の形態に過ぎず、本願を限定するものではない。当業者にとって、本願は様々な修正及び変更を加えることができる。本願の主旨及び原理から逸脱することなく為されるあらゆる修正、均等物による代替、改善は、本願の特許請求の範囲に含まれるものである。
以下、本発明の実施の態様の例を列挙する。
［第１の局面］
動的リストを表示する方法であって：
アカウントに対応する動的リスト内の情報アイテムと、情報アイテムラベルとを取得するステップと；
前記情報アイテムラベルをアカウントラベルと照合するステップと；
前記アカウントと同じラベルを有する、照合された情報アイテムに所定の表示処理を実行するステップと；を備える、
動的リストを表示する方法。
［第２の局面］
前記アカウントと同じラベルを有する、照合された情報アイテムに所定の表示処理を実行する前記ステップは：
前記動的リスト内の前記アカウントと前記情報アイテムの前記同じラベルを表示するステップを備える、
第１の局面に記載の動的リストを表示する方法。
［第３の局面］
前記アカウントと同じラベルを有する、照合された情報アイテムに所定の表示処理を実行する前記ステップは：
前記動的リストに対してなされたスクロール操作が検出されると、前記アカウントと前記同じラベルを有する前記情報アイテムを、個別に表示するステップを備える、
第１の局面に記載の動的リストを表示する方法。
［第４の局面］
前記動的リストに対してなされたスクロール操作が検出されると、前記アカウントと前記同じラベルを有する前記情報アイテムを、個別に表示する前記ステップは：
画面上で前記動的リストを連続的にスクロールする操作、又は、画面上で前記動的リストを連続的にドラッグする操作を検出するステップと；
前記アカウントと同じラベルを有する前記情報アイテムを個別に表示するステップと；を備える、
第３の局面に記載の動的リストを表示する方法。
［第５の局面］
前記アカウントと同じラベルを有する前記情報アイテムを個別に表示する前記ステップは：
前記動的リストの表示輝度を制御することで、前記アカウントと同じラベルを有する前記情報アイテムの表示輝度を別の情報アイテムの表示輝度よりも高くするステップを備える、
第３の局面に記載の動的リストを表示する方法。
［第６の局面］
前記アカウントと同じラベルを有する前記情報アイテムを個別に表示する前記ステップは：
前記アカウントと同じラベルを有する前記情報アイテムが前記動的リストの上層に表示されるよう、前記アカウントと同じラベルを有する前記情報アイテムと前記動的リストとを階層表示するステップを備える、
第３の局面に記載の動的リストを表示する方法。
［第７の局面］
前記アカウントと同じラベルを有する前記情報アイテムが前記動的リストの上層に表示されるよう、前記アカウントと同じラベルを有する前記情報アイテムと前記動的リストとを階層表示する前記ステップは：
前記アカウントと同じラベルを有する前記情報アイテムが画面へスクロールされると、前記情報アイテムが前記アカウントと同じラベルを有する第１の情報アイテムであるかどうかを特定するステップと；
前記動的リストの前記上層に別の表示層をロードし、前記情報アイテムが前記アカウントと同じラベルを有する前記第１の情報アイテムである、と特定された場合に、前記アカウントと同じラベルを有する前記第１情報アイテムを前記表示層に表示するステップと；を備える、
第６の局面に記載の動的リストを表示する方法。
［第８の局面］
前記アカウントと同じラベルを有する前記情報アイテムが前記動的リストの上層に表示されるよう、前記アカウントと同じラベルを有する前記情報アイテムと前記動的リストとを階層表示する前記ステップは：
前記アカウントと同じラベルを有する別の情報アイテムが前記画面にスクロールされた場合に、前記表示層がいっぱいであるかどうかを特定するステップと；
前記表示層がいっぱいである場合には前記表示層にて情報アイテムをスクロールするように制御して、前記表示層に入力されている最初の情報アイテムを前記表示層の外へスクロールし、前記アカウントと同じラベルを有する前記別のアイテムを前記表示層内へスクロールするステップと；を更に備える、
第７の局面に記載の動的リストを表示する方法。
［第９の局面］
サーバにより前記アカウントに付加されたラベルを受信するステップと；
前記ユーザにより前記アカウントへローカルに付加されたラベルを受信するステップと；を更に備える、
第１の局面に記載の動的リストを表示する方法。
［第１０の局面］
アカウントに対応する動的リスト内の情報アイテムと、情報アイテムラベルとを取得する前記ステップは：
ローカルにログインする第１のアカウントにフォローされた第２のアカウントによって投稿された情報アイテムと、コンテンツ又は前記情報アイテムの属性に基づいてサーバにより前記情報アイテムに付加されたラベルとを取得するステップを備える、
第１の局面に記載の動的リストを表示する方法。
［第１１の局面］
前記アカウントと同じラベルを有する、照合された情報アイテムに所定の表示処理を実行する前記ステップは：
前記動的リスト内の情報として、前記アカウントと同じラベルを有する前記情報アイテムを表示するステップを備える、
第１の局面に記載の動的リストを表示する方法。
［第１２の局面］
プロセッサと、前記プロセッサにより実行され得る命令を格納するよう構成されたメモリとを備える端末デバイスであって：
前記プロセッサにより実行され得る前記命令は：
アカウントに対応する動的リスト内の情報アイテムと、情報アイテムラベルとを取得する命令と；
前記情報アイテムラベルをアカウントラベルと照合する命令と；
前記アカウントと同じラベルを有する、照合された情報アイテムに対して所定の表示処理を実行する命令と；を備える、
端末デバイス。
［第１３の局面］
前記アカウントと同じラベルを有する、照合された情報アイテムに対して所定の表示処理を実行する前記命令は：
前記動的リスト内の前記アカウントと前記情報アイテムの前記同じラベルを表示する命令を備える、
第１２の局面に記載の端末デバイス。
［第１４の局面］
前記アカウントと同じラベルを有する、照合された情報アイテムに対して所定の表示処理を実行する前記命令は：
前記動的リストに対して成されたスクロール操作が検出されると、前記アカウントと同じラベルを有する前記情報アイテムを個別に表示する命令を備える、
第１２の局面に記載の端末デバイス。
［第１５の局面］
前記アカウントと同じラベルを有する前記情報アイテムを個別に表示する前記命令は：
前記アカウントと同じラベルを有する前記情報アイテムを前記動的リストの上層に表示するよう、前記アカウントと同じラベルを有する前記情報アイテムと前記動的リストとを階層表示する命令を備える、
第１４の局面に記載の端末デバイス。
［第１６の局面］
前記アカウントと同じラベルを有する前記情報アイテムを前記動的リストの上層に表示するよう、前記アカウントと同じラベルを有する前記情報アイテムと前記動的リストとを階層表示する前記命令は：
前記アカウントと同じラベルを有する前記情報アイテムが画面へスクロールされた場合に、前記情報アイテムが、前記アカウントと同じラベルを有する第１の情報アイテムであるかどうかを特定する命令と；
前記情報アイテムが前記アカウントと同じラベルを有する前記第１の情報アイテムである、と特定された場合に、前記動的リストの前記上層に別の表示層をロードし、前記アカウントと同じラベルを有する前記第１の情報アイテムを、前記表示層に表示する命令と；を備える、
第１５の局面に記載の端末デバイス。
［第１７の局面］
前記アカウントと同じラベルを有する前記情報アイテムを前記動的リストの上層に表示するよう、前記アカウントと同じラベルを有する前記情報アイテムと前記動的リストとを階層表示する前記命令は：
前記アカウントと同じラベルを有する別の情報アイテムが前記画面へスクロールされた場合に、前記表示層がいっぱいであるかどうかを特定する命令と；
前記表示層がいっぱいである場合に前記表示層にて情報アイテムを制御して、前記表示層に入力されている最初の情報アイテムを前記表示層の外へスクロールし、前記アカウントと同じラベルを有する前記別の情報アイテムを前記表示層内にスクロールする命令と；を更に備える、
第１６の局面に記載の端末デバイス。
［第１８の局面］
前記アカウントと同じラベルを有する、照合された情報アイテムに対して所定の表示処理を実行する命令は；
前記アカウントと同じラベルを有する前記情報アイテムを、前記動的リスト内の情報として表示する命令を備える、
第１２の局面に記載の端末デバイス。
［第１９の局面］
プロセッサと通信構成部とを備えるモバイルデバイスであって：
前記プロセッサは前記通信構成部に接続しており；
前記通信構成部は、アカウントに対応する動的リスト内の情報アイテムと情報アイテムラベルとを取得するよう構成され；
前記プロセッサは、前記情報アイテムラベルをアカウントラベルと照合し、前記アカウントと同じラベルを有する、照合された情報アイテムに対して所定の表示処理をするように構成される、
モバイルデバイス。
［第２０の局面］
プロセッサとネットワークアダプタとを備えるコンピュータデバイスであって：
前記プロセッサは前記ネットワークアダプタに接続しており；
前記ネットワークアダプタは、ローカルにログインするアカウントに対応する動的リスト内の情報アイテムと、情報アイテムラベルとを取得するよう構成され；
前記プロセッサは、前記情報アイテムラベルをアカウントラベルと照合し、前記アカウントと同じラベルを有する、照合された情報アイテムに対して所定の表示処理をするように構成される、
コンピュータデバイス。
［第２１の局面］
交通手段において用いられる端末デバイスであって、
組み込み型プロセッサと組み込み型通信装置を備え、
前記組み込み型プロセッサは、前記組み込み型通信装置に接続しており；
前記組み込み型通信装置は、アカウントに対応する動的リスト内の情報アイテムと情報アイテムラベルとを取得するように構成され；
前記組み込み型プロセッサは、情報アイテムラベルをアカウントラベルと照合し、前記アカウントと同じラベルを有する、照合された情報アイテムに対して所定の表示処理をするよう構成される、
端末デバイス。
［第２２の局面］
処理構成部と入力構成部とを備えるユーザインターフェースシステムであって：
前記処理構成部は前記入力構成部に接続しており；
前記入力構成部は、アカウントに対応する動的リスト内の情報アイテムと、情報アイテムラベルとを取得するように構成され；
前記処理構成部は、情報アイテムラベルをアカウントラベルと照合し、前記アカウントと同じラベルを有する、照合された情報アイテムに対して所定の表示処理をするように構成される、
ユーザインターフェースシステム。
［第２３の局面］
動的リストを表示する装置であって：
アカウントに対応する動的リスト内の情報アイテムと情報アイテムラベルとを取得するように構成された取得モジュールと；
前記情報アイテムラベルをアカウントラベルと照合するよう構成された照合モジュールと；
前記アカウントと同じラベルを有する、照合された情報アイテムに対して所定の表示処理をするように構成された表示モジュールと；を備える、
動的リストを表示する装置。
［第２４の局面］
前記表示モジュールは：
前記情報アイテムと前記アカウントの前記同じラベルを表示するように構成された第１の表示サブモジュールを備える、
第２３の局面に記載の動的リストを表示する装置。
［第２５の局面］
前記表示モジュールは：
前記動的リストに対してなされたスクロール操作が検出された場合に、前記アカウントと同じラベルを有する前記情報アイテムを個別に表示するよう構成された第２の表示サブモジュールを備える、
第２３の局面に記載の動的リストを表示する装置。
［第２６の局面］
前記第２の表示サブモジュールは：
前記アカウントと同じラベルを有する前記情報アイテムが前記動的リストの上層に表示されるように、前記アカウントと同じラベルを有する前記情報アイテムと前記動的リストとを階層表示するよう構成された、第３の表示ユニットを備える、
第２５の局面に記載の動的リストを表示する装置。
［第２７の局面］
前記第３の表示ユニットは：
前記アカウントと同じラベルを有する前記情報アイテムが画面へスクロールされた場合に、前記情報アイテムが前記アカウントと同じラベルを有する前記第１の情報アイテムであるかどうかを特定するように構成された第１の特定サブユニットと；
前記情報アイテムが前記アカウントと同じラベルを有する前記第１の情報アイテムである、と特定された場合、前記動的リストの前記上層に別の表示層をロードし、前記アカウントと同じラベルを有する前記第１の情報アイテムを表示するように構成された第１の表示サブユニットと；を備える、
第２６の局面に記載の動的リストを表示する装置。
［第２８の局面］
前記第３の表示ユニットは：
前記アカウントと同じラベルを有する別の情報アイテムが前記画面へスクロールされた場合に、前記表示層がいっぱいであるかどうかを特定するように構成された第２の特定サブユニットと；
前記表示層がいっぱいである場合に表示層にて情報アイテムをスクロールするように制御して、前記表示層に入力されている最初の情報アイテムを前記表示層の外へスクロールし、前記アカウントと同じラベルを有する前記別の情報アイテムを表示層内にスクロールするよう構成された第２の表示サブユニットと；を更に備える、
第２７の局面に記載の動的リストを表示する装置。
［第２９の局面］
前記表示モジュールは：
前記アカウントと同じラベルを有する前記情報アイテムを、前記動的リスト内の情報として表示するよう構成された第３の表示サブモジュールを備える、
第２３の局面に記載の動的リストを表示する装置。